(57)【要約】      （修正有）【課題】特許文献の特許請求の範囲を解析して、構造化グラフィックを生成し表示する。【解決手段】特許請求範囲表示設備１は、特許文献Ｗの請求範囲Ｋから構造化グラフィックＤを自動生成し表示するために、請求範囲Ｋに所属する各段落の段落内容及び段落階層値を決定する段落内容曁段落階層決定装置１１と、各段落内容の要素名詞資料を取得する要素名詞資料取得装置１２と、要素名詞資料の間に連結している部分を接続関係資料として判定する接続関係資料取得装置１３と、各段落内容にあるサブ段落とサブ段落内容を取得するサブ段落内容取得装置１４と、を備える。【選択図】図１
2020047241.tif 000002
【特許請求の範囲】
【請求項１】
特許文献の請求範囲を構造化グラフィックに自動生成し表示する構造化グラフィック自動生成の特許請求範囲表示設備であって、
前記請求範囲に対し、前記請求範囲にある各段落の段落内容及び段落階層値を決定し、各段落内容がそれに対応する前記段落階層値を有する段落内容曁段落階層決定装置と、
前記段落内容曁段落階層決定装置に連結され、各段落内容に対し、語彙の品詞及び品詞指向の要素分断ルールに基づいて、前記段落内容から要素名詞資料を取得する要素名詞資料取得装置と、
前記段落内容曁段落階層決定装置及び前記要素名詞資料取得装置に連結され、各段落内容に対し、取得後の前記要素名詞資料に対応する接続関係資料を取得する接続関係資料取得装置と、
前記段落内容曁段落階層決定装置、前記要素名詞資料取得装置及び前記接続関係資料取得装置に連結され、各段落内容の中からグループ化して一つ又は複数のサブ段落内容を取得し、前記サブ段落内容がサブ段落資料内容及びサブ段落資料内容所属グラデーション値を含み、前記サブ段落資料内容が、前記要素名詞資料及び／或いは前記接続関係資料の組み合わせであるサブ段落内容取得装置と、
前記段落内容曁段落階層決定装置及び前記サブ段落内容取得装置に連結され、各段落に対し、前記段落階層値、複数の前記サブ段落内容の順序、前記サブ段落資料内容及び前記サブ段落資料内容所属グラデーション値に基づいて、前記請求範囲中、前記要素名詞資料、前記要素名詞資料同士間の要素名詞階層関係、前記接続関係資料、前記接続関係資料と前記要素名詞資料の間の関連対応関係を、前記構造化グラフィックにて表示し、前記構造化グラフィックが構造化階層曁グラデーション相対位置関係を有する資料曁階層構造化グラフィック表示装置と、
を備えることを特徴とする構造化グラフィック自動生成の特許請求範囲表示設備。
【請求項２】
前記資料曁階層構造化グラフィック表示装置が、前記構造化グラフィックを表示する時、前記サブ段落資料内容には従属接続関係単語及び／或いは句読点があるかを判断することを特徴とする請求項１に記載の構造化グラフィック自動生成の特許請求範囲表示設備。
【請求項３】
前記資料曁階層構造化グラフィック表示装置が、前記構造化グラフィックを表示する時、前記サブ段落資料内容の中の前記要素名詞資料間の従属関係を判断することを特徴とする請求項１に記載の構造化グラフィック自動生成の特許請求範囲表示設備。
【請求項４】
前記要素名詞資料が、節点で表示され、前記接続関係資料は、複数の前記節点間に連結している接続線で表示されることを特徴とする請求項１に記載の構造化グラフィック自動生成の特許請求範囲表示設備。
【請求項５】
前記サブ段落内容取得装置が、取得した一つ又は複数の前記サブ段落内容をログファイルとして保存し、前記資料曁階層構造化グラフィック表示装置へ転送し、前記資料曁階層構造化グラフィック表示装置が、前記ログファイルに基づいて前記構造化グラフィックを生成し表示することを特徴とする請求項１に記載の構造化グラフィック自動生成の特許請求範囲表示設備。
【請求項６】
前記ログファイルが、各段落の中の前記要素名詞資料及び前記接続関係資料の存在の順序によってこれらを保存することを特徴とする請求項５に記載の構造化グラフィック自動生成の特許請求範囲表示設備。
【請求項７】
更に、前記接続線は前記接続関係資料を表し、各段落の中の接続関係資料が持っている一貫性と隣接性によって、各段落の接続線の色を決める接続線色決定装置を含むことを特徴とする請求項４に記載の構造化グラフィック自動生成の特許請求範囲表示設備。
【請求項８】
更に、前記接続線が表した前記接続関係資料と前記接続線に連結されている前記要素名詞資料との相対的な関係に基づいて、前記接続線の方向を決める接続線方向決定装置を含むことを特徴とする請求項７に記載の構造化グラフィック自動生成の特許請求範囲表示設備。
【請求項９】
更に、前記資料曁階層構造化グラフィック表示装置に連結され、階層入力インターフェースを有し、前記階層入力インターフェースに階層指定数を入力することで、前記資料曁階層構造化グラフィック表示装置に表示する前記構造化グラフィックの階層範囲を選択する階層入力装置を含むことを特徴とする請求項１に記載の構造化グラフィック自動生成の特許請求範囲表示設備。
【請求項１０】
更に、前記資料曁階層構造化グラフィック表示装置に連結され、サブ段落資料内容決定インターフェースを有し、前記構造化グラフィックの中の指定要素名詞資料及び／或いは指定接続関係資料を選択することで、全ての前記指定要素名詞資料及び／或いは前記指定接続関係資料に連結されているものを表示する経路資料が生成され、前記経路資料は、前記指定要素名詞資料及び／或いは前記指定接続関係資料に連結するその他の前記要素名詞資料及び／或いは前記接続関係資料を包含するサブ段落資料内容決定装置を含むことを特徴とする請求項１に記載の構造化グラフィック自動生成の特許請求範囲表示設備。
【発明の詳細な説明】
【技術分野】
【０００１】
本発明は、特許文献のグラフィック化自動表示設備に関し、特に構造化グラフィックを自動生成する特許請求範囲表示設備に関する。
【背景技術】
【０００２】
特許文献を読むためには、それなりの専門知識及び経験が必要とし、多くの労力及び時間を費やすことになる。特に特許の請求範囲では、心して細部まで読まなければならない。しかし、請求範囲の結構自体は、複雑なものであり、主語とする要素名詞、目的語とする要素名詞及びこの２つの接続関係を定義する接続関係資料を含む。更に主語とする要素名詞及び目的語とする要素名詞の増加につれて、その接続関係も増えるので、錯綜したものになってしまう。とはいえ、請求範囲を慎重に読むことは、特許文献の閲覧に際して不可欠且つ避けられないことであるため、特許の請求範囲をいかに正しく捉えることが難しい作業になることであろう。また、特許分析、権利侵害鑑定の時、請求範囲を更に精密的に読み込まないといけないので、膨大な時間及び精神を投入せざるを得ず、読み取った内容が正確なのかが評価しにくいものである。
【０００３】
そこで、請求範囲を読む時間を短縮し、読み取った内容の正しさと読み易さを改善するため、請求範囲をもっと分かりやすく表示し、特にビジュアル化したグラフィックで表示することが課題となる。それに対し、いかなる手段で構造化したグラフィックを用いて請求範囲を表示し、更に機械で自動生成した構造化グラフィックを用いて請求範囲を表示するかは、前記課題を解決する方向性を示すものになるであろう。
【発明の概要】
【発明が解決しようとする課題】
【０００４】
本発明は、自動化の設備を用いて自動的に請求範囲に対応する構造化グラフィックを生成し又は表示し、このような請求範囲のビジュアル化表示が請求範囲の閲覧時間を縮め、読み取った内容の正しさと読み易さを改善することができ、請求範囲の結構の正確性が第三者により簡単に確認できる構造化グラフィック自動生成の特許請求範囲表示設備を提供することを目的とする。
【課題を解決するための手段】
【０００５】
前記課題を解決するために、本発明は、特許文献の請求範囲を構造化グラフィックに自動生成し表示する構造化グラフィック自動生成の特許請求範囲表示設備であって、前記請求範囲に対し、前記請求範囲にある各段落の段落内容及び段落階層値を決定し、各段落内容がそれに対応する前記段落階層値を有する段落内容曁段落階層決定装置と、前記段落内容曁段落階層決定装置に連結され、各段落内容に対し、語彙の品詞及び品詞指向の要素分断ルールに基づいて、前記段落内容から要素名詞資料を取得する要素名詞資料取得装置と、前記段落内容曁段落階層決定装置及び前記要素名詞資料取得装置に連結され、各段落内容に対し、取得後の前記要素名詞資料に対応する接続関係資料を取得する接続関係資料取得装置と、前記段落内容曁段落階層決定装置、前記要素名詞資料取得装置及び前記接続関係資料取得装置に連結され、各段落内容の中からグループ化して一つ又は複数のサブ段落内容を取得し、前記サブ段落内容がサブ段落資料内容及びサブ段落資料内容所属グラデーション値を含み、前記サブ段落資料内容が、前記要素名詞資料及び／或いは前記接続関係資料の組み合わせであるサブ段落内容取得装置と、前記段落内容曁段落階層決定装置及び前記サブ段落内容取得装置に連結され、各段落に対し、前記段落階層値、複数の前記サブ段落内容の順序、前記サブ段落資料内容及び前記サブ段落資料内容所属グラデーション値に基づいて、前記請求範囲中、前記要素名詞資料、前記要素名詞資料同士間の要素名詞階層関係、前記接続関係資料、前記接続関係資料と前記要素名詞資料の間の関連対応関係を、前記構造化グラフィックにて表示し、前記構造化グラフィックが構造化階層曁グラデーション相対位置関係を有する資料曁階層構造化グラフィック表示装置を備えることを特徴とする構造化グラフィック自動生成の特許請求範囲表示設備を提供する。
【０００６】
本発明の構造化グラフィック自動生成の特許請求範囲表示設備の実施例として、前記資料曁階層構造化グラフィック表示装置が、前記構造化グラフィックを表示する時、前記サブ段落資料内容には従属接続関係単語及び／或いは句読点があるかを判断する。
【０００７】
本発明の構造化グラフィック自動生成の特許請求範囲表示設備の実施例として、前記資料曁階層構造化グラフィック表示装置が、前記構造化グラフィックを表示する時、前記サブ段落資料内容の中の前記要素名詞資料間の従属関係を判断する。
【０００８】
本発明の構造化グラフィック自動生成の特許請求範囲表示設備の実施例として、前記要素名詞資料が、節点で表示され、前記接続関係資料は、複数の前記節点間に連結している接続線で表示される。
【０００９】
本発明の構造化グラフィック自動生成の特許請求範囲表示設備の実施例として、前記サブ段落内容取得装置が、取得した一つ又は複数の前記サブ段落内容をログファイルとして保存し、前記資料曁階層構造化グラフィック表示装置へ転送し、前記資料曁階層構造化グラフィック表示装置が、前記ログファイルに基づいて前記構造化グラフィックを生成し表示する。
【００１０】
本発明の構造化グラフィック自動生成の特許請求範囲表示設備の実施例として、前記ログファイルが、各段落の中の前記要素名詞資料及び前記接続関係資料の存在の順序によってこれらを保存する。
【００１１】
本発明の構造化グラフィック自動生成の特許請求範囲表示設備の実施例として、更に、前記接続線が前記接続関係資料を表し、各段落の中の接続関係資料が持っている一貫性と隣接性によって、各段落の接続線の色を決める接続線色決定装置を含む。
【００１２】
本発明の構造化グラフィック自動生成の特許請求範囲表示設備の実施例として、更に、前記接続線が表した前記接続関係資料と前記接続線に連結されている前記要素名詞資料との相対的な関係に基づいて、前記接続線の方向を決める接続線方向決定装置を含む。
【００１３】
本発明の構造化グラフィック自動生成の特許請求範囲表示設備の実施例として、更に、前記資料曁階層構造化グラフィック表示装置に連結され、階層入力インターフェースを有し、前記階層入力インターフェースに階層指定数を入力することで、前記資料曁階層構造化グラフィック表示装置に表示する前記構造化グラフィックの階層範囲を選択する階層入力装置を含む。
【００１４】
本発明の構造化グラフィック自動生成の特許請求範囲表示設備の実施例として、更に、前記資料曁階層構造化グラフィック表示装置に連結され、サブ段落資料内容決定インターフェースを有し、前記構造化グラフィックの中の指定要素名詞資料及び／或いは指定接続関係資料を選択することで、全ての前記指定要素名詞資料及び／或いは前記指定接続関係資料に連結されているものを表示する経路資料が生成され、前記経路資料は、前記指定要素名詞資料及び／或いは前記指定接続関係資料に連結するその他の前記要素名詞資料及び／或いは前記接続関係資料を包含するサブ段落資料内容決定装置を含む。
【発明の効果】
【００１５】
本発明の構造化グラフィック自動生成の特許請求範囲表示設備は、次の効果を有する。
【００１６】
本発明が提供した構造化グラフィック自動生成の特許請求範囲表示設備は、自動化の設備を用いて、自動的に請求範囲に対応する構造化グラフィックを生成し表示することができる。このような請求範囲のビジュアル化表示は、請求範囲の閲覧時間を短縮し、読み取った内容の正しさと読み易さを改善することができる。また、請求範囲の結構の正確性が第三者により簡単に確認することができる。
【図面の簡単な説明】
【００１７】
【図１】本発明による構造化グラフィック自動生成の特許請求範囲表示設備の一例を示す結構ブロック図である。
【図２】元請求範囲の内容と本発明の一例による構造化グラフィック自動生成の特許請求範囲表示設備にて処理した請求範囲の内容との対照概略図である。
【図３】本発明の一例による構造化グラフィック自動生成の特許請求範囲表示設備が請求範囲の中に複数の段落、段落内容を表示することを示す図である。
【図４】本発明の一例による構造化グラフィック自動生成の特許請求範囲表示設備の要素名詞取得装置を示す結構ブロック図である。
【図５】本発明の一例による構造化グラフィック自動生成の特許請求範囲表示設備の品詞要素分断ルールを示す図である。
【図６】本発明の一例による構造化グラフィック自動生成の特許請求範囲表示設備の段落を示す図である。
【図７】本発明の一例による構造化グラフィック自動生成の特許請求範囲表示設備の構造化グラフィックを示す図である。
【図８】本発明の一例による構造化グラフィック自動生成の特許請求範囲表示設備の構造化グラフィックを示すもう一つの図である。
【図９】本発明の一例による構造化グラフィック自動生成の特許請求範囲表示設備の構造化グラフィックを示すもう一つの図である。
【図１０】本発明の一例による構造化グラフィック自動生成の特許請求範囲表示設備の構造化グラフィックを示すもう一つの図である。
【発明を実施するための形態】
【００１８】
以下は図１〜図１０に基づいて、本発明の実施形態を説明する。なお、以下に説明する実施形態は、本発明を限定するものではなく、本発明の実施形態の一つである。
【００１９】
図１に示すように、本発明の一例による構造化グラフィック自動生成の特許請求範囲表示設備１は、特許文献Ｗの請求範囲Ｋを構造化グラフィックＤに自動生成し、その構造化グラフィックＤを表示する。
【００２０】
前記請求範囲Ｋと本発明の前記構造化グラフィック自動生成の特許請求範囲表示設備１が生成した前記構造化グラフィックＤの対照は、図２に参照する。
【００２１】
図１に示すように、前記構造化グラフィック自動生成の特許請求範囲表示設備１は、段落内容曁段落階層決定装置１１、要素名詞資料取得装置１２、接続関係資料取得装置１３、サブ段落内容取得装置１４、資料曁階層構造化グラフィック表示装置１５を含む。
【００２２】
次は図説を参考しながら、本発明の前記構造化グラフィック自動生成の特許請求範囲表示設備１の各構成装置について説明する。
【００２３】
図１及び図３に示すように、前記段落内容曁段落階層決定装置１１は、特許文献Ｗの請求範囲Ｋに対し、前記請求範囲Ｋに所属する各段落Ｓの段落内容Ｃ及び段落階層値Ｌを決定し、各段落内容Ｃがそれに対応する前記段落階層値Ｌを有する。
【００２４】
図３から分かるように、請求範囲Ｋの中には、複数の段落Ｓがあり、各段落Ｓは自らの段落内容Ｃ及び各段落内容Ｃに対応する段落階層値Ｌがある。例えば、移行部（段落Ｓ０）は、前記請求範囲の始めであり、「Ａ  ｍｕｌｔｉ−ｓｔａｔｉｏｎ  ｒｏｂｏｔｉｃ  ｗｅｌｄｉｎｇ  ａｓｓｅｍｂｌｙ，  ｃｏｍｐｒｉｓｉｎｇ：」という段落内容Ｃ０を有する。また、移行部であるため、前記段落内容Ｃ０に対応する前記段落階層値Ｌ０は０となる。段落Ｓ１について、「ａ  ｍｏｕｎｔｉｎｇ  ｐｌａｔｆｏｒｍ；」という段落内容Ｃ１を有する。また、文章中では既に段落Ｓ０と段落Ｓ１の間を階層化表示した（段落Ｓ１を段落Ｓ０の一つ下の階層に設置する）ので、段落内容Ｃ１の段落階層値Ｌ１は１となる。詳しくいうと、ＨＴＭＬ形式のファイルでは、「＜ｄｉｖ＞」及び「＜／ｄｉｖ＞」を用いて各段落を区別する。本実施例の中には、次のような形式がある：「
＜ｄｉｖ＞  Ａ  ｍｕｌｔｉ−ｓｔａｔｉｏｎ  ｒｏｂｏｔｉｃ  ｗｅｌｄｉｎｇ  ａｓｓｅｍｂｌｙ，  ｃｏｍｐｒｉｓｉｎｇ：
＜ｄｉｖ＞  ａ  ｍｏｕｎｔｉｎｇ  ｐｌａｔｆｏｒｍ；  ＜／ｄｉｖ＞
＜ｄｉｖ＞  ａ  ｐｌｕｒａｌｉｔｙ  ｏｆ  ｒｏｂｏｔｓ  ａｔｔａｃｈｅｄ  ｔｏ  ｓａｉｄ  ｍｏｕｎｔｉｎｇ  ｐｌａｔｆｏｒｍ  ａｎｄ  ｌｏｃａｔｅｄ  ｉｎ  ｒｅｓｐｅｃｔｉｖｅ  ｗｅｌｄ  ｓｔａｔｉｏｎｓ，  ｅａｃｈ  ｏｆ  ｓａｉｄ  ｒｏｂｏｔｓ  ｃｏｍｐｒｉｓｉｎｇ  ａｎ  ｅｌｏｎｇａｔｅｄ  ｍｏｖａｂｌｅ  ａｒｍ  ａｎｄ  ｗｒｉｓｔ；  ＜／ｄｉｖ＞……（後略）」。
【００２５】
本発明では、「＜ｄｉｖ＞」及び「＜／ｄｉｖ＞」の形式を用いて、第一段落Ｓ０、第二段落Ｓ１及び第三段落Ｓ２を階層に分ける。それで、本発明は、前記請求範囲を読み込む時は、「＜ｄｉｖ＞」及び「＜／ｄｉｖ＞」によって、各段落内容Ｃに対応する前記段落階層値Ｌを取得する。段落内容Ｃ１の段落階層値Ｌ１は１でり、また、段落Ｓ２には、「  ａ  ｐｌｕｒａｌｉｔｙ  ｏｆ  ｒｏｂｏｔｓ  ａｔｔａｃｈｅｄ  ｔｏ  ｓａｉｄ  ｍｏｕｎｔｉｎｇ  ｐｌａｔｆｏｒｍ  ａｎｄ  ｌｏｃａｔｅｄ  ｉｎ  ｒｅｓｐｅｃｔｉｖｅ  ｗｅｌｄ  ｓｔａｔｉｏｎｓ，  ｅａｃｈ  ｏｆ  ｓａｉｄ  ｒｏｂｏｔｓ  ｃｏｍｐｒｉｓｉｎｇ  ａｎ  ｅｌｏｎｇａｔｅｄ  ｍｏｖａｂｌｅ  ａｒｍ  ａｎｄ  ｗｒｉｓｔ；」という段落内容Ｃ２があって、しかも段落Ｓ１の終わりに「＜／ｄｉｖ＞」が現れたため、前記段落Ｓ２の段落階層値Ｌ２は１である。即ち、「＜ｄｉｖ＞」及び「＜／ｄｉｖ＞」が現れる場所によって、個別段落内容Ｃの段落階層値Ｌを取得することができる。
【００２６】
各段落Ｓの前記段落内容Ｃ及びその段落階層値Ｌを取得したのち、要素名詞資料取得装置１２によって各段落内容Ｃの中の要素名詞資料１２１及び接続関係資料１３１を取得する。図４に示すように、要素名詞資料取得装置１２は、前記段落内容曁段落階層決定装置１１に連結され、各段落内容Ｃに対し、語彙の品詞（ｐａｒｔ  ｏｆ  ｓｐｅｅｃｈ）ＰＳ及び品詞指向の要素分断ルールＢＲ（図５に示す）に基づいて、前記段落内容Ｃから要素名詞資料１２１を取得する。
【００２７】
本発明は、各段落内容Ｃに対し、前記要素名詞資料１２１を取得することは、語彙の品詞ＰＳ及び品詞指向の要素分断ルールＢＲ（図５に示す）に基づくものであり、その実施方法は次の通りである。
【００２８】
前記品詞指向の要素分断ルールは、いくつかの品詞データベースを利用している。図５の表に示すように、名詞直前語データベース、関係代名詞データベース、Ｂｅ動詞データベース、分詞データベース、前置詞データベース、句読点データベースを利用している。前記名詞直前語データベースには、「Ａ、ａ、Ａｎ、ａｎ、Ｔｈｅ、ｔｈｅ、Ｓａｉｄ、ｓａｉｄ、ａｔ、ｌｅａｓｔ、ｏｎｅ、ｔｗｏ、ｔｈｒｅｅ…」を含み、前記関係代名詞データベースには、「ｗｈｉｃｈ、ｗｈｏｓｅ、ｗｈｅｒｅ、ｗｈｅｒｅｉｎ、ｗｈｅｒｅ…」を含み、前記Ｂｅ動詞データベースには、「ｉｓ、ａｒｅ、ｗａｓ、ｗｅｒｅ…」を含み、前記分詞データベースには、「『ｉｎｇ』、『ｅｄ』若しくは『ｅｎ』で表す動詞…」を含み、前記前置詞データベースには、「ｗｉｔｈ、ｔｏ、ｉｎ、ｏｎ、ａｔ、ｏｖｅｒ、ａｂｏｖｅ、ｂｅｌｏｗ、ａｌｏｎｇ、ｔｈｒｏｕｇｈ、ｖｉａ、ｗｉｔｈｉｎ、ｏｎｔｏ…」を含み、前記句読点データベースには、各句読点を含む。
【００２９】
次に、前記品詞指向の要素分断ルールを用いて、前記要素名詞の取得方法について説明する。まず、単語ごとに前記請求範囲Ｋの文を読み取り、前記名詞直前語データベースに含む「Ａ、ａ、Ａｎ、ａｎ、Ｔｈｅ、ｔｈｅ、Ｓａｉｄ、ｓａｉｄ、ａｔ、ｌｅａｓｔ、ｏｎｅ、ｔｗｏ、ｔｈｒｅｅ…」の語彙を読み取った位置から、前記要素名詞の判定を始める。そして、語彙を読み続け、其の他のデータベースを用いて前記要素名詞の判定が終わるが、ここでは二つの状況がある。
【００３０】
状況一は、図５の表の１、２、３及び１１行目に示すように、前記名詞直前語データベース（左から一列目）には「○」印があって、その右に「●」印がある。しかし、「●」印の右に「○」印がないため、「●」印の位置で前記要素名詞の判定が終わり、「○」印から「●」印までを前記要素名詞として取得する。
【００３１】
即ち、前記名詞直前語データベースに含む語彙を読み取った位置から、前記要素名詞の判定を始め、そして、語彙を読み続け、前記関係代名詞データベース、前記Ｂｅ動詞データベース、前記前置詞データベース若しくは前記句読点データベースの中に含む語彙を読み取った際に、前記要素名詞の判定が終わり、前記要素名詞を取得する。
【００３２】
状況二は、図５の表の４〜７行目に示すように、前記名詞直前語データベース（左から一列目）には「○」印があって、その右に「●」印がある。そして、該「●」印の右にまた「○」印がある。「●」印の位置まで読み取った際に前記要素名詞の判定が終わらず、「●」印の右に「○」印が現れるまで語彙を読み続け、「○」印が現れた時だけ「●」印の位置で前記要素名詞の判定が終わり、前記要素名詞を取得する。即ち、前記名詞直前語データベースに含む語彙を読み取った位置から、前記要素名詞の判定を始め、そして、語彙を読み続け、前記分詞データベース（左から四列目）の位置で前記要素名詞の判定が終わらず、引き続き語彙を読み取って、前記前置詞、前記名詞直前語、前記関係代名詞若しくは前記句読点を読み取った際に、遡って前記分詞の位置で前記要素名詞の判定が終わり、前記要素名詞を取得する。
【００３３】
また、状況二では、図５の表の８〜１０行目のように、前記前置詞データベースの位置で前記要素名詞の判定が終わらず、引き続き語彙を読み取って、再び前記名詞直前語データベース、関係代名詞データベース或いは分詞データベースに含む語彙を読み取った際に、遡って前記前置詞の位置で前記要素名詞の判定が終わり、前記要素名詞を取得する。
【００３４】
以下は、前記品詞指向の要素分断ルールを用いて、英語の文の「ａ  ｃｉｒｃｕｉｔ  ｂｏａｒｄ  ｐｒｏｖｉｄｅｄ  ｗｉｔｈ  ａｎ  ｅｄｇｅ  ｅｘｔｅｎｄｉｎｇ  ｉｎ  ａ  ｌｏｎｇｉｔｕｄｉｎａｌ  ｄｉｒｅｃｔｉｏｎ；」から前記要素名詞を取得する一例を説明する。
（１）まず「［ａ］  ｃｉｒｃｕｉｔ  ｂｏａｒｄ  ｐｒｏｖｉｄｅｄ  ｗｉｔｈ  ａｎ  ｅｄｇｅ  ｅｘｔｅｎｄｉｎｇ  ｉｎ  ａ  ｌｏｎｇｉｔｕｄｉｎａｌ  ｄｉｒｅｃｔｉｏｎ；」の［ａ］を読み取る。［ａ］は前記名詞直前語データベースに含む語彙であるため、前記要素名詞の判定を始め、読み取りを続ける。
（２）次に「ａ  ［ｃｉｒｃｕｉｔ］  ｂｏａｒｄ  ｐｒｏｖｉｄｅｄ  ｗｉｔｈ  ａｎ  ｅｄｇｅ  ｅｘｔｅｎｄｉｎｇ  ｉｎ  ａ  ｌｏｎｇｉｔｕｄｉｎａｌ  ｄｉｒｅｃｔｉｏｎ；」の［ｃｉｒｃｕｉｔ］を読み取る。［ｃｉｒｃｕｉｔ］はデータベースに含まない語彙であるため、読み取りを続ける。
（３）次に「ａ  ｃｉｒｃｕｉｔ  ［ｂｏａｒｄ］  ｐｒｏｖｉｄｅｄ  ｗｉｔｈ  ａｎ  ｅｄｇｅ  ｅｘｔｅｎｄｉｎｇ  ｉｎ  ａ  ｌｏｎｇｉｔｕｄｉｎａｌ  ｄｉｒｅｃｔｉｏｎ；」の［ｂｏａｒｄ］を読み取る。［ｂｏａｒｄ］はデータベースに含まない語彙であるため、読み取りを続ける。
（４）次に「ａ  ｃｉｒｃｕｉｔ  ｂｏａｒｄ  ［ｐｒｏｖｉｄｅｄ］  ｗｉｔｈ  ａｎ  ｅｄｇｅ  ｅｘｔｅｎｄｉｎｇ  ｉｎ  ａ  ｌｏｎｇｉｔｕｄｉｎａｌ  ｄｉｒｅｃｔｉｏｎ；」の［ｐｒｏｖｉｄｅｄ］を読み取る。［ｐｒｏｖｉｄｅｄ］は前記分詞データベースに含む語彙であるため、４〜７行目の条件に当たる。そこで、［ｐｒｏｖｉｄｅｄ］を可能な要素名詞の分断位置として「●」印を付けて、前記分断位置が成立するかを決めるため、引き続き文を読み取る。
（５）次に「ａ  ｃｉｒｃｕｉｔ  ｂｏａｒｄ  ｐｒｏｖｉｄｅｄ  ［ｗｉｔｈ］  ａｎ  ｅｄｇｅ  ｅｘｔｅｎｄｉｎｇ  ｉｎ  ａ  ｌｏｎｇｉｔｕｄｉｎａｌ  ｄｉｒｅｃｔｉｏｎ；」の［ｗｉｔｈ］を読み取る。［ｗｉｔｈ］は前記前置詞データベースに含む語彙であるため、４行目の条件に当たり（前記前置詞データベースの列に「○」印）、つまり、前記分詞における可能な前記分断位置は「分断成立の位置」となって、前記分詞の位置で分断し、その分詞の前の［ａ  ｃｉｒｃｕｉｔ  ｂｏａｒｄ］を前記要素名詞として取得することができる。
（６）次に「ａ  ｃｉｒｃｕｉｔ  ｂｏａｒｄ  ｐｒｏｖｉｄｅｄ  ｗｉｔｈ  ［ａｎ］  ｅｄｇｅ  ｅｘｔｅｎｄｉｎｇ  ｉｎ  ａ  ｌｏｎｇｉｔｕｄｉｎａｌ  ｄｉｒｅｃｔｉｏｎ；」の［ａｎ］を読み取る。［ａｎ］は前記名詞直前語データベースに含む語彙であるため、前記要素名詞の判定を始め、読み取りを続ける。
（７）次に「ａ  ｃｉｒｃｕｉｔ  ｂｏａｒｄ  ｐｒｏｖｉｄｅｄ  ｗｉｔｈ  ａｎ  ［ｅｄｇｅ］  ｅｘｔｅｎｄｉｎｇ  ｉｎ  ａ  ｌｏｎｇｉｔｕｄｉｎａｌ  ｄｉｒｅｃｔｉｏｎ；」の［ｅｄｇｅ］を読み取る。［ｅｄｇｅ］はデータベースに含まない語彙であるため、読み取りを続ける。
（８）次に「ａ  ｃｉｒｃｕｉｔ  ｂｏａｒｄ  ｐｒｏｖｉｄｅｄ  ｗｉｔｈ  ａｎ  ｅｄｇｅ  ［ｅｘｔｅｎｄｉｎｇ］  ｉｎ  ａ  ｌｏｎｇｉｔｕｄｉｎａｌ  ｄｉｒｅｃｔｉｏｎ；」の［ｅｘｔｅｎｄｉｎｇ］を読み取る。［ｅｘｔｅｎｄｉｎｇ］は前記分詞データベースに含む語彙であるため、４〜７行目の条件に当たる。そこで、［ｅｘｔｅｎｄｉｎｇ］に可能な要素名詞の分断位置として「●」印を付けて、前記分断位置が成立するかを決めるには、次の内容を読み取る必要があるため、引き続き文を読み取る。
（９）次に「ａ  ｃｉｒｃｕｉｔ  ｂｏａｒｄ  ｐｒｏｖｉｄｅｄ  ｗｉｔｈ  ａｎ  ｅｄｇｅ  ｅｘｔｅｎｄｉｎｇ  ［ｉｎ］  ａ  ｌｏｎｇｉｔｕｄｉｎａｌ  ｄｉｒｅｃｔｉｏｎ；」の［ｉｎ］を読み取る。［ｉｎ］は前記前置詞データベースに含む語彙であるため、４行目の条件に当たり（前記前置詞データベースの列に「○」印）、つまり、前記分詞における可能な前記分断位置は「分断成立の位置」となって、前記分詞の位置で分断し、その分詞の前の［ａｎ  ｅｄｇｅ］を前記要素名詞として取得することができる。
（１０）次に「ａ  ｃｉｒｃｕｉｔ  ｂｏａｒｄ  ｐｒｏｖｉｄｅｄ  ｗｉｔｈ  ａｎ  ｅｄｇｅ  ｅｘｔｅｎｄｉｎｇ  ｉｎ  ［ａ］  ｌｏｎｇｉｔｕｄｉｎａｌ  ｄｉｒｅｃｔｉｏｎ；」の［ａ］を読み取る。［ａ］は前記名詞直前語データベースに含む語彙であるため、前記要素名詞の判定を始め、読み取りを続ける。
（１１）次に「ａ  ｃｉｒｃｕｉｔ  ｂｏａｒｄ  ｐｒｏｖｉｄｅｄ  ｗｉｔｈ  ａｎ  ｅｄｇｅ  ｅｘｔｅｎｄｉｎｇ  ｉｎ  ａ  ［ｌｏｎｇｉｔｕｄｉｎａｌ］  ｄｉｒｅｃｔｉｏｎ；」の［ｌｏｎｇｉｔｕｄｉｎａｌ］を読み取る。［ｌｏｎｇｉｔｕｄｉｎａｌ］はデータベースに含まない語彙であるため、読み取りを続ける。
（１２）次に「ａ  ｃｉｒｃｕｉｔ  ｂｏａｒｄ  ｐｒｏｖｉｄｅｄ  ｗｉｔｈ  ａｎ  ｅｄｇｅ  ｅｘｔｅｎｄｉｎｇ  ｉｎ  ａ  ｌｏｎｇｉｔｕｄｉｎａｌ  ［ｄｉｒｅｃｔｉｏｎ］；」の［ｄｉｒｅｃｔｉｏｎ］を読み取る。［ｄｉｒｅｃｔｉｏｎ］はデータベースに含まない語彙であるため、読み取りを続ける。
（１３）次に「ａ  ｃｉｒｃｕｉｔ  ｂｏａｒｄ  ｐｒｏｖｉｄｅｄ  ｗｉｔｈ  ａｎ  ｅｄｇｅ  ｅｘｔｅｎｄｉｎｇ  ｉｎ  ａ  ｌｏｎｇｉｔｕｄｉｎａｌ  ｄｉｒｅｃｔｉｏｎ［；］」の［；］を読み取る。［；］は句読点データベースに含む句読点であるため、１１行目の条件に当たり、前記要素名詞の判定が終わる。これによって、［；］（「●」印）の前の［ａ  ｌｏｎｇｉｔｕｄｉｎａｌ  ｄｉｒｅｃｔｉｏｎ］が前記要素名詞として取得することができる。
【００３５】
前記品詞指向の要素分断ルールを用いて取得した前記要素名詞は次の［］の中にあるものとする：
「ａ  ［ｃｉｒｃｕｉｔ  ｂｏａｒｄ］  ｐｒｏｖｉｄｅｄ  ｗｉｔｈ  ａｎ  ［ｅｄｇｅ］  ｅｘｔｅｎｄｉｎｇ  ｉｎ  ａ  ［ｌｏｎｇｉｔｕｄｉｎａｌ  ｄｉｒｅｃｔｉｏｎ］；」。
【００３６】
前記要素名詞資料１２１を取得したのち、前記要素名詞資料１２１の間に連結している部分を接続関係資料１３１として判定する。
【００３７】
前記請求範囲Ｋの中の「ａ  ｃｉｒｃｕｉｔ  ｂｏａｒｄ  ｐｒｏｖｉｄｅｄ  ｗｉｔｈ  ａｎ  ｅｄｇｅ  ｅｘｔｅｎｄｉｎｇ  ｉｎ  ａ  ｌｏｎｇｉｔｕｄｉｎａｌ  ｄｉｒｅｃｔｉｏｎ；」を一例として、各要素名詞の間の語彙を前記接続関係資料として判定し、「ｃｉｒｃｕｉｔ  ｂｏａｒｄ」と「ｅｄｇｅ」の間の「ｐｒｏｖｉｄｅｄ  ｗｉｔｈ」を、「ｅｄｇｅ」と「ｌｏｎｇｉｔｕｄｉｎａｌ  ｄｉｒｅｃｔｉｏｎ」の間の「ｅｘｔｅｎｄｉｎｇ  ｉｎ」を前記接続関係資料１３１とする。
【００３８】
前記要素名詞資料１２１及び前記接続関係資料１３１を取得した後、本発明は、前記サブ段落内容取得装置１４によって、各段落内容Ｃにあるサブ段落Ｔとサブ段落内容Ｎを取得する。前記サブ段落内容取得装置１４は、前記段落内容曁段落階層決定装置１１、前記要素名詞資料取得装置１２及び前記接続関係資料取得装置１３に連結され、各段落内容Ｃの中からグループ化して一つ又は複数のサブ段落内容Ｎを取得し、前記サブ段落内容Ｎがサブ段落資料内容１４１１及びサブ段落資料内容所属グラデーション値１４１２を含み、前記サブ段落資料内容１４１１が、前記要素名詞資料１２１及び／或いは前記接続関係資料１３１の組み合わせである。
【００３９】
図６を一例とすると、三つの段落Ｓがあり、各々は段落Ｓ０、段落Ｓ１及び段落Ｓ２である。各段落Ｓは、段落内容Ｃを有する。例えば段落Ｓ０は、「Ａ  ｍｕｌｔｉ−ｓｔａｔｉｏｎ  ｒｏｂｏｔｉｃ  ｗｅｌｄｉｎｇ  ａｓｓｅｍｂｌｙ，  ｃｏｍｐｒｉｓｉｎｇ：」の段落内容Ｃ０を有する。段落Ｓ１は、「ａ  ｍｏｕｎｔｉｎｇ  ｐｌａｔｆｏｒｍ；」の段落内容Ｃ１を有する。段落Ｓ２は、「ａ  ｐｌｕｒａｌｉｔｙ  ｏｆ  ｒｏｂｏｔｓ  ａｔｔａｃｈｅｄ  ｔｏ  ｓａｉｄ  ｍｏｕｎｔｉｎｇ  ｐｌａｔｆｏｒｍ  ａｎｄ  ｌｏｃａｔｅｄ  ｉｎ  ｒｅｓｐｅｃｔｉｖｅ  ｗｅｌｄ  ｓｔａｔｉｏｎｓ，  ｅａｃｈ  ｏｆ  ｓａｉｄ  ｒｏｂｏｔｓ  ｃｏｍｐｒｉｓｉｎｇ  ａｎ  ｅｌｏｎｇａｔｅｄ  ｍｏｖａｂｌｅ  ａｒｍ  ａｎｄ  ｗｒｉｓｔ；」の段落内容Ｃ２を有する。以下は段落Ｓ２を例として詳しく説明する。
【００４０】
前記段落Ｓ２の段落内容Ｃ２は、「ａ  ｐｌｕｒａｌｉｔｙ  ｏｆ  ｒｏｂｏｔｓ  ａｔｔａｃｈｅｄ  ｔｏ  ｓａｉｄ  ｍｏｕｎｔｉｎｇ  ｐｌａｔｆｏｒｍ  ａｎｄ  ｌｏｃａｔｅｄ  ｉｎ  ｒｅｓｐｅｃｔｉｖｅ  ｗｅｌｄ  ｓｔａｔｉｏｎｓ，  ｅａｃｈ  ｏｆ  ｓａｉｄ  ｒｏｂｏｔｓ  ｃｏｍｐｒｉｓｉｎｇ  ａｎ  ｅｌｏｎｇａｔｅｄ  ｍｏｖａｂｌｅ  ａｒｍ  ａｎｄ  ｗｒｉｓｔ；」であり、本発明は、前記サブ段落内容取得装置１４を用いて、「一つ目の要素名詞資料は単独に存在する」及び「一つの接続関係資料の後に一つの要素名詞資料が付く」の原則と「特定的な接続関係資料（例えば、『ｃｏｍｐｒｉｓｉｎｇ』及び『ａｎｄ』）の場合、一つ前の要素名詞資料に遡る」のサブ原則を使って、前記段落内容Ｃ２を複数のサブ段落Ｔ０（「ａ  ｐｌｕｒａｌｉｔｙ  ｏｆ  ｒｏｂｏｔｓ」）、Ｔ１（「ａｔｔａｃｈｅｄ  ｔｏ  ｓａｉｄ  ｍｏｕｎｔｉｎｇ  ｐｌａｔｆｏｒｍ  ａｎｄ」）、Ｔ２（「ｌｏｃａｔｅｄ  ｉｎ  ｒｅｓｐｅｃｔｉｖｅ  ｗｅｌｄ  ｓｔａｔｉｏｎｓ，」）、Ｔ３（「ｅａｃｈ  ｏｆ  ｓａｉｄ  ｒｏｂｏｔｓ  ｃｏｍｐｒｉｓｉｎｇ」）、Ｔ４（「ａｎ  ｅｌｏｎｇａｔｅｄ  ｍｏｖａｂｌｅ  ａｒｍ  ａｎｄ」）及びＴ５（「ｗｒｉｓｔ；」）に分ける。
【００４１】
更に、前記サブ段落Ｔに対し、各サブ段落内容Ｎを取得する。前記サブ段落内容Ｎは、前記サブ段落資料内容１４１１及び前記サブ段落資料内容所属グラデーション値１４１２を有する。例えば、前記サブ段落Ｔ０、Ｔ１、Ｔ２、Ｔ３、Ｔ４、Ｔ５が有する前記サブ段落内容Ｎ０、Ｎ１、Ｎ２、Ｎ３、Ｎ４、Ｎ５は、前記サブ段落資料内容１４１１及び前記サブ段落資料内容所属グラデーション値１４１２からなるものであり、詳しく説明すると、Ｎ０は「｛“ａ  ｐｌｕｒａｌｉｔｙ  ｏｆ  ｒｏｂｏｔｓ”，  ０  ｝」で、Ｎ１は「｛“ａｔｔａｃｈｅｄ  ｔｏ”，  “ｓａｉｄ  ｍｏｕｎｔｉｎｇ  ｐｌａｔｆｏｒｍ”，  １  ｝」で、Ｎ２は「“ａｎｄ  ｌｏｃａｔｅｄ  ｉｎ”，  “ｒｅｓｐｅｃｔｉｖｅ  ｗｅｌｄ  ｓｔａｔｉｏｎｓ，”，  １  ｝」で、Ｎ３は「“ｅａｃｈ  ｏｆ  ｓａｉｄ  ｒｏｂｏｔｓ”，  “ｃｏｍｐｒｉｓｉｎｇ”，    ０  ｝」、Ｎ４は「“ａｎ  ｅｌｏｎｇａｔｅｄ  ｍｏｖａｂｌｅ  ａｒｍ”，  １  ｝」、そして、Ｎ５は「“ａｎｄ”，  “ｗｒｉｓｔ；  ”  ，  １  ｝」である。特に、Ｎ０の中の「ａ  ｐｌｕｒａｌｉｔｙ  ｏｆ  ｒｏｂｏｔｓ」は前記サブ段落資料内容１４１１で、「０」は前記サブ段落資料内容所属グラデーション値１４１２である。Ｎ１の中の「ａｔｔａｃｈｅｄ  ｔｏ」と「ｓａｉｄ  ｍｏｕｎｔｉｎｇ  ｐｌａｔｆｏｒｍ」は前記サブ段落資料内容１４１１で、「１」は前記サブ段落資料内容所属グラデーション値１４１２である。Ｎ２の中の「ａｎｄ  ｌｏｃａｔｅｄ  ｉｎ」と「ｒｅｓｐｅｃｔｉｖｅ  ｗｅｌｄ  ｓｔａｔｉｏｎｓ，」は前記サブ段落資料内容１４１１で、「１」は前記サブ段落資料内容所属グラデーション値１４１２である。Ｎ３の中の「ｅａｃｈ  ｏｆ  ｓａｉｄ  ｒｏｂｏｔｓ」と「ｃｏｍｐｒｉｓｉｎｇ」は前記サブ段落資料内容１４１１で、「０」は前記サブ段落資料内容所属グラデーション値１４１２である。Ｎ４の中の「ａｎ  ｅｌｏｎｇａｔｅｄ  ｍｏｖａｂｌｅ  ａｒｍ」は前記サブ段落資料内容１４１１で、「１」は前記サブ段落資料内容所属グラデーション値１４１２である。Ｎ５の中の「ａｎｄ」と「ｗｒｉｓｔ；」は前記サブ段落資料内容１４１１で、「１」は前記サブ段落資料内容所属グラデーション値１４１２である。また、前記サブ段落資料内容１４１１は、前記要素名詞資料取得装置１２で取得した前記要素名詞資料１２１と、前記接続関係資料取得装置１３で取得した前記接続関係資料１３１から構成されたものである。従って、前記段落Ｓ２は、「《  ［  ｛“ａ  ｐｌｕｒａｌｉｔｙ  ｏｆ  ｒｏｂｏｔｓ”，  ０  ｝  ，  ｛“ａｔｔａｃｈｅｄ  ｔｏ”，  “ｓａｉｄ  ｍｏｕｎｔｉｎｇ  ｐｌａｔｆｏｒｍ”，  １  ｝  ，  ｛“ａｎｄ  ｌｏｃａｔｅｄ  ｉｎ”，  “ｒｅｓｐｅｃｔｉｖｅ  ｗｅｌｄ  ｓｔａｔｉｏｎｓ，”，  １  ｝  ，  ｛“ｅａｃｈ  ｏｆ  ｓａｉｄ  ｒｏｂｏｔｓ”，  “ｃｏｍｐｒｉｓｉｎｇ”，    ０  ｝  ，  ｛“ａｎ  ｅｌｏｎｇａｔｅｄ  ｍｏｖａｂｌｅ  ａｒｍ”，  １  ｝  ，  ｛“ａｎｄ”，  “ｗｒｉｓｔ；  ”  ，  １  ｝  ］  ，  １》」
のような構造となる。
【００４２】
前記サブ段落資料内容所属グラデーション値１４１２の取得は、一般的にサブ段落の読み取りにつれて＋１の原則となるが、従属性質の接続関係資料１３１（例えばｃｏｍｐｒｉｓｉｎｇ、ａｎｄ）の場合、「ｃｏｍｐｒｉｓｉｎｇ」「ａｎｄ」の間に挟まれる場合（例えばＮ４とＮ５）若しくは相対性質（例えばＮ２とＮ１）の場合は、一つ目のサブ段落のグラデーション値だけ＋１、次のサブ段落は同じグラデーション値を維持する。また、「ｗｈｅｒｅｉｎ」を読み取ったときは、サブ段落資料内容所属グラデーション値はゼロリセットする。前記サブ段落内容取得装置１４によって、段落Ｓを複数のサブ段落Ｔに分け、各サブ段落Ｔの順番に沿って、サブ段落内容Ｎを取得する。各サブ段落内容Ｎはそれぞれにサブ段落資料内容１４１１及びサブ段落資料内容所属グラデーション値１４１２を有する。各サブ段落Ｔ及びサブ段落内容Ｎを取得した後、これらのサブ段落内容Ｎを順番に組み合わせ、段落内容曁段落階層決定装置１１で取得した段落階層値Ｌを加えることで、ログファイルを生成する。
【００４３】
本発明は、段落Ｓ０に対して内容を取得してから、順番にＳ１、Ｓ２、Ｓ３、Ｓ４及びＳ５の内容を取得し、前記ログファイルに保存する。しかし、本発明はこれに限らず、前記ログファイルに保存せずに、直接に前記資料曁階層構造化グラフィック表示装置１５へ伝送し、前記構造化グラフィックＤを表示することもできる。前記構造化グラフィックＤは、構造化階層曁グラデーション相対位置関係を有する。
【００４４】
図１に示すように、前記資料曁階層構造化グラフィック表示装置１５は、前記段落内容曁段落階層決定装置１１及び前記サブ段落内容取得装置１４に連結され、各段落Ｓに対し、前記段落階層値Ｌ、複数の前記サブ段落Ｔの順序、前記サブ段落資料内容１４１１及び前記サブ段落資料内容所属グラデーション値１４１２に基づいて、前記請求範囲Ｋの中の前記要素名詞資料１２１、前記要素名詞資料１２１同士間の要素名詞階層関係、前記接続関係資料１３１、前記接続関係資料１３１と前記要素名詞資料１２１の間の関連対応関係を、前記構造化グラフィックＤにて表示し、前記構造化グラフィックＤが構造化階層曁グラデーション相対位置関係を有する。
【００４５】
図７に示すように、まず前記段落Ｓ０（《  ［  ｛”ａ  ｍｕｌｔｉ−ｓｔａｔｉｏｎ  ｒｏｂｏｔｉｃ  ｗｅｌｄｉｎｇ  ａｓｓｅｍｂｌｙ”，  “ｃｏｍｐｒｉｓｉｎｇ，”，  ０  ｝  ］  ，  ０》）に対し、節点Ｎｏｄｅ００を立てる。次に従属関係である接続関係資料を読み取って、もう一つの節点Ｎｏｄｅ００１を立てる。そして、節点Ｎｏｄｅ００と節点Ｎｏｄｅ００１の間で接続線Ｌ００を立て、その方向は節点Ｎｏｄｅ００から節點Ｎｏｄｅ００１へ向かう。ここでは、前記接続線の方向が接続線方向決定装置を用いて、前記接続線が表した前記接続関係資料と前記接続線に連結されている前記要素名詞資料との相対的な関係に基づいて、前記接続線の方向を決める。
【００４６】
続いて、前記段落Ｓ１に対して処理する。前記段落Ｓ１の内容は「《  ［  ｛“ａ  ｍｏｕｎｔｉｎｇ  ｐｌａｔｆｏｒｍ；”，  ０  ｝  ］  ，  ０》」である。前記段落Ｓ１の段落階層値は０である。そして、冒頭に「ａ」を使う名詞要素資料を段落の始まりとして読み取って、従属関係に属する「ｔｈｅ、ｓａｉｄ、ｗｈｅｒｅｉｎ」語彙を冒頭に使う段落ではないと読み取ったため、遡って今の段落に最も近く、段落の階層値が今の段落の階層値を−１した段落を探す。そして、今の段落の最後の部分は、接続関係資料（「ｃｏｍｐｒｉｓｉｎｇ」）であるかどうかを判断する。判断結果によって条件が一致するため、取得した接続関係資料（「ｃｏｍｐｒｉｓｉｎｇ」）（即ち、節点Ｎｏｄｅ００１）を出発点として、読み取った一つ目の段落資料内容「ａ  ｍｏｕｎｔｉｎｇ  ｐｌａｔｆｏｒｍ；」を取得し、節点Ｎｏｄｅ１０を立て、そして、一つ目の段落資料内容「ａ  ｍｏｕｎｔｉｎｇ  ｐｌａｔｆｏｒｍ；」を節点Ｎｏｄｅ１０に書き込む。そして、「ｐｌａｔｆｏｒｍ」の後には句読点（「；」）を読み取ったため、段落Ｓ１は終了となり、新しい段落に進むと判断する。
【００４７】
続いて、前記段落Ｓ２に対して処理する。前記段落Ｓ２の内容は「《  ［  ｛“ａ  ｐｌｕｒａｌｉｔｙ  ｏｆ  ｒｏｂｏｔｓ”，  ０  ｝  ，  ｛“ａｔｔａｃｈｅｄ  ｔｏ”，  “ｓａｉｄ  ｍｏｕｎｔｉｎｇ  ｐｌａｔｆｏｒｍ”，  １  ｝  ，  ｛“ａｎｄ  ｌｏｃａｔｅｄ  ｉｎ”，  “ｒｅｓｐｅｃｔｉｖｅ  ｗｅｌｄ  ｓｔａｔｉｏｎｓ，”，  １  ｝  ，  ｛“ｅａｃｈ  ｏｆ  ｓａｉｄ  ｒｏｂｏｔｓ”，  “ｃｏｍｐｒｉｓｉｎｇ”，    ０  ｝  ，  ｛“ａｎ  ｅｌｏｎｇａｔｅｄ  ｍｏｖａｂｌｅ  ａｒｍ”，  １  ｝  ，  ｛“ａｎｄ”，  “ｗｒｉｓｔ；  ”  ，  １  ｝  ］  ，  １》」である。
【００４８】
まず、前記段落階層値は「１」と判断し（即ち前記段落Ｓ２の内容の最後の「１」）、冒頭に「ａ」を使う名詞要素資料を段落の始まりとして読み取って、従属関係に属する「ｔｈｅ、ｓａｉｄ、ｗｈｅｒｅｉｎ」語彙を冒頭に使う段落ではないと読み取ったため、遡って今の段落に最も近く、段落の階層値が今の段落の階層値を−１した段落を探す。そして、今の段落の最後の部分は、接続関係資料（「ｃｏｍｐｒｉｓｉｎｇ」）であるかどうかを判断する。判断結果によって条件が一致するため、取得した接続関係資料（「ｃｏｍｐｒｉｓｉｎｇ」）（即ち、節点Ｎｏｄｅ００１）を出発点として、読み取った一つ目の段落資料内容「ａ  ｐｌｕｒａｌｉｔｙ  ｏｆ  ｒｏｂｏｔｓ」を用いて節点Ｎｏｄｅ１１を立て、今の段落資料内容「ａ  ｐｌｕｒａｌｉｔｙ  ｏｆ  ｒｏｂｏｔｓ」を節点Ｎｏｄｅ１１に書き込む。そして、節点Ｎｏｄｅ１１を目標点として接続線Ｌ０２を決める。
【００４９】
そして、二つ目のサブ段落内容Ｎ１「｛“ａｔｔａｃｈｅｄ  ｔｏ”，  “ｓａｉｄ  ｍｏｕｎｔｉｎｇ  ｐｌａｔｆｏｒｍ”，  １  ｝」に対して処理する。まず、サブ段落資料内容所属階層値は「１」とする。これは一つ前のサブ段落のサブ段落資料内容所属階層値を＋１したものである。前のサブ段落と前後関係を有するため、一つ前のサブ段落を接続線の出発点とする。また、二つ目のサブ段落内容の中にある要素名詞資料は、以前現れたことがあるかを判断したところ、既に節点Ｎｏｄｅ１０として存在しているため、前記接続線の目標点は節点Ｎｏｄｅ１０となり、接続線Ｌ１１を決める。そして、前記サブ段落資料内容の接続関係資料１３１（「ａｔｔａｃｈｅｄ  ｔｏ」）を、前記接続線Ｌ１１に書き込み、接続線色決定装置１６によって、第一の色を与える。なお、前記出発点から前記目標点への方向を接続線Ｌ１１の方向とする。
【００５０】
続いて、三つ目のサブ段落内容「｛“ａｎｄ  ｌｏｃａｔｅｄ  ｉｎ”，  “ｒｅｓｐｅｃｔｉｖｅ  ｗｅｌｄ  ｓｔａｔｉｏｎｓ，”，  １  ｝」に対して処理する。まず、サブ段落資料内容所属階層値は「１」とする。該サブ段落資料内容所属階層値と一つ前のサブ段落資料内容所属階層値は同じであるため、この二つのサブ段落は相対関係（ｍａｔｃｈｉｎｇ  ｒｅｌａｔｉｏｎｓｈｉｐ）と判断し、接続線の出発点を、前記サブ段落資料内容所属階層値が「１」のサブ段落に設けず、サブ段落資料内容所属階層値が「０」のサブ段落に出発点を設ける。それで、一つ前のサブ段落へ戻し、サブ段落資料内容所属階層値が「０」のサブ段落における要素名詞資料の節点Ｎｏｄｅ１１へ戻して、節点Ｎｏｄｅ１１を接続線の出発点とする。そして、三つ目のサブ段落内容の中の要素名詞資料（ｒｅｓｐｅｃｔｉｖｅ  ｗｅｌｄ  ｓｔａｔｉｏｎｓ）は前に現れたことがあるかを判断したところ、前に現れたことがないため、この要素名詞資料（ｒｅｓｐｅｃｔｉｖｅ  ｗｅｌｄ  ｓｔａｔｉｏｎｓ）を節点Ｎｏｄｅ２０として立て、接続線の目標点を節点Ｎｏｄｅ２０にすることで、接続線Ｌ１０を決める。出発点から目標点への方向をこの接続線Ｌ１０の方向とし、接続線色決定装置１６によって、第一の色を与える。
【００５１】
続いて、四つ目のサブ段落内容「｛“ｅａｃｈ  ｏｆ  ｓａｉｄ  ｒｏｂｏｔｓ”，  “ｃｏｍｐｒｉｓｉｎｇ”，    ０  ｝」に対して処理する。まず、サブ段落資料内容所属階層値は「０」とする。そして、「ｅａｃｈ  ｏｆ  ｓａｉｄ  ｒｏｂｏｔｓ」の中の「ｓａｉｄ  ｒｏｂｏｔｓ」は、「ｒｏｂｏｔ」が前に現れたことがあると判断し、遡って「ｒｏｂｏｔ」の節点を探し、節点Ｎｏｄｅ１１に戻す。この節点Ｎｏｄｅ１１を接続線Ｌ２０の出発点とする。そして、サブ段落のサブ段落資料を読み続けると「ｃｏｍｐｒｉｓｉｎｇ」が現れる。「ｃｏｍｐｒｉｓｉｎｇ」という語彙は特別性を有するため、「ｃｏｍｐｒｉｓｉｎｇ」を節点Ｎｏｄｅ１１１として立てる。そして、節点Ｎｏｄｅ１１１を接続線Ｌ２０の目標点として、接続線Ｌ２０の方向を決める。また、接続線色決定装置１６によって、接続線に色を与える。
【００５２】
続いて、五つ目のサブ段落内容「｛“ａｎ  ｅｌｏｎｇａｔｅｄ  ｍｏｖａｂｌｅ  ａｒｍ”，  １  ｝」に対して処理する。まず、前記サブ段落階層値は「１」とする。冒頭に「ａ」を使う名詞要素資料をサブ段落の始まりとして読み取って、従属関係に属する「ｔｈｅ、ｓａｉｄ、ｗｈｅｒｅｉｎ」語彙を冒頭に使う段落ではないと読み取ったため、遡って今のサブ段落に最も近く、サブ段落の階層値が今のサブ段落の階層値を−１したサブ段落を探す（四つ目のサブ段落）。そして、今のサブ段落の最後の部分は、接続関係資料（「ｃｏｍｐｒｉｓｉｎｇ」）であるかどうかを判断する。判断結果によって条件が一致するため、取得した接続関係資料（「ｃｏｍｐｒｉｓｉｎｇ」）（即ち、節点Ｎｏｄｅ１１１）を出発点として、読み取った一つ目のサブ段落資料内容「ａｎ  ｅｌｏｎｇａｔｅｄ  ｍｏｖａｂｌｅ  ａｒｍ」を用いて節点Ｎｏｄｅ２１を立て、今のサブ段落資料内容「ａｎ  ｅｌｏｎｇａｔｅｄ  ｍｏｖａｂｌｅ  ａｒｍ」を節点Ｎｏｄｅ２１に書き込む。そして、節点Ｎｏｄｅ２１を目標点として接続線Ｌ２１を取得する。
【００５３】
続いて、六つ目のサブ段落内容「｛“ａｎｄ”，  “ｗｒｉｓｔ；”  ，  １  ｝  ］  ，  １》」に対して処理する。まず、前記サブ段落階層値は「１」とする。そして、「ｔｈｅ、ｓａｉｄ」ではなく「ａｎｄ」が冒頭に付く要素名詞を用いるサブ段落を読み取って、従属関係に属する「ｔｈｅ、ｓａｉｄ、ｗｈｅｒｅｉｎ」語彙を冒頭に使う段落ではないと読み取ったため、遡って今のサブ段落に最も近く、サブ段落の階層値が今のサブ段落の階層値を−１したサブ段落を探す（四つ目のサブ段落）。そして、今のサブ段落の最後の部分は、接続関係資料（「ｃｏｍｐｒｉｓｉｎｇ」）であるかどうかを判断する。判断結果によって条件が一致するため、五つ目のサブ段落の接続関係資料（「ｃｏｍｐｒｉｓｉｎｇ」）（即ち、節点Ｎｏｄｅ１１１）を出発点とする。そして、「ａｎｄ」を含まないサブ段落資料（即ち「ｗｒｉｓｔ；」）読み取って、「ｗｒｉｓｔ；」を用いて節点Ｎｏｄｅ２２を立て、「ｗｒｉｓｔ；」を節点Ｎｏｄｅ２２に書き込む。そして、節点Ｎｏｄｅ２２を目標点として接続線Ｌ２２を決める。また、「ｗｒｉｓｔ」の後ろに「；」があるため、段落Ｓ１は終了となり、新しい段落に進むと判断する。
【００５４】
以上によって、図７の前記構造化グラフィックＤを取得し、前記構造化グラフィックＤが構造化階層曁グラデーション相対位置関係を有する。
【００５５】
図１及び図８に示すように、本発明の一例による構造化グラフィック自動生成の特許請求範囲表示設備１は、更に接続線色決定装置１６を含む。各段落Ｓの中の接続関係資料が持っている一貫性と隣接性によって、各段落Ｓの接続線の色を決める。図８に示すように、接続関係の一貫性について、例えば接続線Ｌ３０及び接続線Ｌ３１は同じ色（例えば第一の色）で表す。接続線Ｌ５１、接続線Ｌ５２、接続線Ｌ５３、接続線Ｌ５４、接続線Ｌ５５、接続線Ｌ５６及び接続線Ｌ５７は同じ色（例えば第二の色）で表す。接続線Ｌ４１、接続線Ｌ４２及び接続線Ｌ４３は同じ色（例えば第三の色）で表す。また、第一の色、第二の色及び第三の色はそれぞれ違う色系となり、例えば、同じ青色において、違う深さで第一の色、第二の色及び第三の色として使わない。また、同じ出発位置の複数の接続線（例えばＮｏｄｅ１１から出発するＬ１０、Ｌ１１及びＬ２０）の色は違うが、その接続線の後の線は、前の接続線と同じ色を有する。また、節点が接続線の出発位置でありながら別の接続線の中間位置である場合、この節点に連結している複数の接続線の色は違うものとする。（即ち、接続線Ｌ５１、接続線Ｌ５２、接続線Ｌ５３、接続線Ｌ５４、接続線Ｌ５５、接続線Ｌ５６及び接続線Ｌ５７は一貫性を有し、一つの色とし、接続線Ｌ４１及び接続線Ｌ４２はもう一つの色とする）。また、節点が複数の接続線の出発位置でありながら複数の接続線の目的位置である場合、複数の接続線の色を別々にする。例えば、節点Ｎｏｄｅ２４において、接続線Ｌ４１及び接続線Ｌ５３が入って、接続線Ｌ４２及び接続線Ｌ５４が出るため、この二つの経路を違う色で表すものである。
【００５６】
図１及び図９に示すように、本発明の一例による構造化グラフィック自動生成の特許請求範囲表示設備１は、更に階層入力装置１７を含む。前記資料曁階層構造化グラフィック表示装置１５に連結される前記階層入力装置１７は、階層入力インターフェース１７１（即ち、表示画面に階層値を入力する）を有し、前記階層入力インターフェース１７１に階層指定数を入力することで、前記資料曁階層構造化グラフィック表示装置１５に表示する前記構造化グラフィックの階層範囲を選択する。例えば「２」を入力することで、節点Ｎｏｄｅ００（一つ目の階層）に加え、節点Ｎｏｄｅ１０、節点Ｎｏｄｅ１１、節点Ｎｏｄｅ１２、節点Ｎｏｄｅ１３及び節点Ｎｏｄｅ１４（二つ目の階層）が表示されるほか、これらの節点の間に存在する接続関係資料である接続線も表示される。
【００５７】
また、図１及び図９に示すように、本発明の一例において、前記階層入力インターフェース１７１に階層指定数を入力することで、前記資料曁階層構造化グラフィック表示装置１５に表示する前記構造化グラフィックの階層範囲を選択する。例えば、「２〜３」を入力することで、図９の中の点線が囲う範囲に示すように、節点Ｎｏｄｅ１０、節点Ｎｏｄｅ１１、節点Ｎｏｄｅ１２、節点Ｎｏｄｅ１３、節点Ｎｏｄｅ１４（二つ目の階層）に加え、節点Ｎｏｄｅ２０、節点Ｎｏｄｅ２１、節点Ｎｏｄｅ２２、節点Ｎｏｄｅ２３、節点Ｎｏｄｅ２４（三つ目の階層）並びに節点Ｎｏｄｅ１１１（二つ目と三つ目の階層間の節点）が表示されるほか、これらの節点の間に存在する接続関係資料である接続線も表示される。
【００５８】
また、図１及び図１０に示すように、本発明の一例による構造化グラフィック自動生成の特許請求範囲表示設備１は、更にサブ段落資料内容決定装置１８を含む。前記資料曁階層構造化グラフィック表示装置１５に連結されるサブ段落資料内容決定装置１８は、サブ段落資料内容決定インターフェース１８１を有し、前記サブ段落資料内容決定インターフェースで前記構造化グラフィックの中の指定要素名詞資料及び／或いは指定接続関係資料を選択することで、全ての前記指定要素名詞資料及び／或いは前記指定接続関係資料に連結されているものを表示する経路資料が生成され、前記経路資料は、前記指定要素名詞資料及び／或いは前記指定接続関係資料に連結するその他の前記要素名詞資料及び／或いは前記接続関係資料を含む。
【００５９】
例えば、節点Ｎｏｄｅ１１を選択することで、節点Ｎｏｄｅ１１に連結される全ての節点（節点Ｎｏｄｅ００、節点Ｎｏｄｅ００１、節点Ｎｏｄｅ１１、節点Ｎｏｄｅ１０、節点Ｎｏｄｅ２０、節点Ｎｏｄｅ１１１、節点Ｎｏｄｅ２１及び節点Ｎｏｄｅ２２）及び接続線（接続線Ｌ００、接続線Ｌ０２、接続線Ｌ１０、接続線Ｌ１１、接続線Ｌ２０、接続線Ｌ２１及び接続線Ｌ２２）を表示する。また、接続線Ｌ１０を選択することで、接続線Ｌ１０に連結される全ての節点（節点Ｎｏｄｅ００、節点Ｎｏｄｅ００１、節点Ｎｏｄｅ１１及び節点Ｎｏｄｅ２０）及び接続線（接続線Ｌ００、接続線Ｌ０２及び接続線Ｌ１０）を表示する。
【００６０】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【図１】
2020047241.tif 000003
【図２】
2020047241.tif 000004
【図３】
2020047241.tif 000005
【図４】
2020047241.tif 000006
【図５】
2020047241.tif 000007
【図６】
2020047241.tif 000008
【図７】
2020047241.tif 000009
【図８】
2020047241.tif 000010
【図９】
2020047241.tif 000011
【図１０】
2020047241.tif 000012